(57)【要約】      （修正有）【課題】行動履歴情報を収集するのに適した領域を推定することが可能な情報収集装置を提供する。【解決手段】対象者が訪れた対象地点Ｐ１から対象者の自宅Ａ１，Ｂ１，Ｃ１までの距離に応じて、対象地点Ｐ１に対する情報収集の処理を変更可能する。これにより、対象地点Ｐ１と自宅Ａ１，Ｂ１，Ｃ１までの距離に応じて対象地点Ｐ１の情報を整理することが可能となり、目的に合致した対象地点Ｐ１を推定することができる。そのため、対象者の行動履歴情報を収集するのに適した領域を推定することができる。【選択図】図３
2011048582.tif 000002
【特許請求の範囲】
【請求項１】
対象者の位置情報、前記対象者が訪れた地点である対象地点に関する情報を収集する情報収集装置において、
前記対象地点から前記対象者の自宅までの距離である対象距離を演算する演算手段と、
前記演算手段によって演算された前記対象距離に応じて、前記対象地点に関する情報収集の処理を変更する情報分析手段と、を備えることを特徴とする情報収集装置。
【請求項２】
前記情報分析手段は、前記対象距離が判定基準より長い場合に、前記対象地点を観光対象地点であると推定することを特徴とする請求項１記載の情報収集装置。
【請求項３】
前記対象者の位置情報を送信する移動体端末と、
前記移動体端末から送信された前記位置情報を受信するサーバと、を備え、
前記サーバは、前記演算手段及び前記情報分析手段を有することを請求項１又は２記載の情報収集装置。
【請求項４】
前記対象者の位置情報を送信する移動体端末と、
前記移動体端末から送信された前記位置情報を受信するサーバと、を備え、
前記移動体端末は、前記演算手段及び前記情報分析手段を有し、
前記移動体端末は、前記情報分析手段による分析結果を前記サーバに送信することを特徴とする請求項１〜３の何れか一項に記載の情報収集装置。
【請求項５】
前記移動体端末は、車両に搭載された車載機であることを特徴とする請求項１〜４の何れか一項に記載の情報収集装置。
【発明の詳細な説明】
【技術分野】
【０００１】
本発明は、対象者の行動履歴情報に基づいて各種情報を収集する情報収集装置に関するものである。
【背景技術】
【０００２】
従来、例えば観光地のような広い領域において、ユーザ（対象者）と共に移動するＩＣカードの使用履歴情報に基づいて、対象者の行動に関する情報を収集する技術が知られている（例えば、特許文献１参照）。
【先行技術文献】
【特許文献】
【０００３】
【特許文献１】特開２００２−７４８２号公報
【発明の概要】
【発明が解決しようとする課題】
【０００４】
上記特許文献１の技術は、そもそも対象者の行動履歴を収集するのに適した領域（例えば観光地など）を推定するものではなかった。一般的なナビゲーション装置などでは、予め観光地が設定されているため、その必要がなかった。近年、適切な情報収集領域を設定する技術が求められている。
【０００５】
本発明は、このような課題を解決するために成されたものであり、行動履歴情報を収集するのに適した領域を推定することが可能な情報収集装置を提供することを目的とする。
【課題を解決するための手段】
【０００６】
本発明による情報収集装置は、対象者の位置情報、対象者が訪れた地点である対象地点に関する情報を収集する情報収集装置において、対象地点から対象者の自宅までの距離である対象距離を演算する演算手段と、演算手段によって演算された対象距離に応じて、対象地点に関する情報収集の処理を変更する情報分析手段と、を備えることを特徴としている。
【０００７】
このような情報収集装置によれば、対象者が訪れた対象地点から対象者の自宅までの距離に応じて、対象地点の情報収集の処理が変更されるため、この距離に応じて対象地点の情報を整理することが可能となり、目的に合致した対象地点を推定することができる。そのため、対象者の行動履歴情報を収集するのに適した領域を推定することができる。
【０００８】
ここで、情報分析手段は、対象距離が判定基準より長い場合に、対象地点を観光対象地点であると推定してもよい。これにより、自宅から一定距離以上離れた対象地点を、観光対象地点と推定することができる。また、観光対象地点を訪れた対象者の行動履歴情報を収集することで、有用な情報を的確に抽出することが可能となる。
【０００９】
また、情報収集装置は、対象者の位置情報を送信する移動体端末と、移動体端末から送信された位置情報を受信するサーバと、を備え、当該サーバは、演算手段及び情報分析手段を有する構成でもよい。
【００１０】
また、情報収集装置は、対象者の位置情報を送信する移動体端末と、移動体端末から送信された位置情報を受信するサーバと、を備え、移動体端末は、演算手段及び情報分析手段を有し、移動体端末は、情報分析手段による分析結果をサーバに送信する構成でもよい。このように、移動体端末側で、対象距離の演算、情報分析を行ってもよい。
【００１１】
また、移動体端末は、車両に搭載された車載機であることが好ましい。これにより、対象者が車両を用いて移動した場合の行動履歴を収集することができる。
【発明の効果】
【００１２】
本発明の情報収集装置によれば、対象地点と自宅との距離に応じて対象地点に関する情報収集の処理を変更することが可能であるので、目的に合致した対象地点を推定することが可能となる。そのため、行動履歴情報を収集するのに適した領域を推定することができる。
【図面の簡単な説明】
【００１３】
【図１】本発明の実施形態に係る情報収集システムの概略構成図である。
【図２】本発明の実施形態に係る情報収集システムの動作手順を示すフローチャートである。
【図３】対象地点及び自宅の位置を示す地図情報の一例を示す図である。
【図４】車載機における動作を示すフローチャートである。
【図５】情報収集センターのサーバにおける動作を示すフローチャートである。
【図６】本発明の実施形態に係る推奨情報提供処理の動作手順を示すフローチャートである。
【発明を実施するための形態】
【００１４】
以下、添付図面を参照して本発明の実施の形態を詳細に説明する。なお、図面の説明において同一の要素には同一の符号を付し、重複する説明を省略する。
【００１５】
図１に本発明の実施形態に係る情報収集システムの概略構成図を示す。本実施形態の情報収集システム１は、複数のユーザ（対象者）Ａ〜Ｅから送信された位置情報、ＰＯＩ情報をセンターサーバ１０で収集して分析するシステムである。情報収集システム１では、例えば、分析結果に基づいて、有用な情報をユーザに提供することができる。なお、「ＰＯＩ情報」とは、位置情報と関連付けられた情報であり、施設名称、電話番号、ジャンルなどの情報がある。
【００１６】
情報収集システム１は、ユーザの行動履歴情報を受信するセンターサーバ１０、車両に搭載されユーザの行動履歴情報を送信する車載機２０、ＧＰＳ機能を備えユーザの行動履歴情報を送信する携帯通信端末（携帯電話）３０によって構成されている。
【００１７】
なお、ユーザＡは、車載機２０を搭載した車両を使用する者、ユーザＢは、携帯通信端末３０を使用する者、ユーザＣ〜Ｅは、車載機２０及び／又は携帯通信端末３０を使用する者として説明する。
【００１８】
次に、車載機２０について説明する。車載機２０は、演算処理を行うＣＰＵ、記憶部となるＲＯＭ及びＲＡＭ、入力信号回路、出力信号回路、電源回路などにより構成されている。車載機２０は、ナビゲーション装置２１、無線装置２２、中央演算処理装置（ＣＰＵ）２３、位置検出装置２４、記憶部２７、地図ＤＢ２８、ＰＯＩ−ＤＢ２９を備えている。
【００１９】
ナビゲーション装置２１は、目的地までの経路案内を行うものであり、操作者によって操作される操作部、目的地設定や経路探索を行う演算処理部、地図情報などを表示する画像表示部などを備えている。また、演算処理部は、自車の走行軌跡（走行履歴情報）を作成する。
【００２０】
無線装置２２は、ネットワーク１００との接続を可能とする通信手段である。無線装置２２は、自車の走行履歴情報を送信する送信手段として機能する。車載機２０では、ユーザの行動履歴情報として自車の走行履歴情報を送信する。また、無線装置２２は、センターサーバ１０から送信された各種情報を受信する受信手段として機能する。なお、車載機２０は、無線通信可能な情報処理端末（ＰＣ）、携帯電話を介して、ネットワーク１００に接続してもよく、路車間通信、車車間通信などを利用して、センターサーバ１０との通信を可能とする構成でもよい。
【００２１】
中央演算処理装置２３は、車載機２０の装置全体の制御を司る制御手段である。中央演算処理装置２３は、各種演算処理を実行する。位置検出装置２４は、自車位置を検出するものであり、ＧＰＳ衛星からの信号を受信するＧＰＳ受信機、車両の回転角速度を検出するジャイロスコープ、車両の走行距離を検出する距離センサなどを備えている。車載機２０は、車両の現在位置、進行方向、車速、走行距離、現在時刻などを検出可能な構成とされている。
【００２２】
記憶部２７は、各種情報、分析結果などを記憶する記憶手段である。また、記憶部２７は、ユーザを識別するための情報、ユーザの自宅に関する情報などを記録している。地図ＤＢ２８は、地図情報を記憶する記憶手段である。ＰＯＩ−ＤＢ２６は、施設などの対象地点に関するＰＯＩ情報を記録する記憶手段である。
【００２３】
次に、携帯通信端末３０について説明する。携帯通信端末３０は、演算処理を行うＣＰＵ、記憶部となるＲＯＭ及びＲＡＭ、入力信号回路、出力信号回路、電源回路などにより構成されている。携帯通信端末３０は、通信部３２、中央演算処理装置３３、ＧＰＳ受信機３４、記憶部３７、地図ＤＢ３８、ＰＯＩ−ＤＢ３９を備えている。
【００２４】
通信部３２は、ネットワーク１００との接続を可能とする通信手段である。通信部３２は、ユーザの行動履歴情報を送信する送信手段として機能する。また、通信部３２は、センターサーバ１０から送信された各種情報を受信する受信手段として機能する。
【００２５】
中央演算処理装置３３は、携帯通信端末３０の装置全体の制御を司る制御手段である。中央演算処理装置３３は、各種演算処理を実行する。中央演算処理装置３３は、ＧＰＳ衛星信号に基づいてユーザの位置情報を取得し、ユーザの行動履歴情報を作成する。
【００２６】
記憶部３７は、各種情報、分析結果などを記憶する記憶手段である。また、記憶部３７は、ユーザを識別するための情報、ユーザの自宅に関する情報などを記録している。地図ＤＢ３８は、地図情報を記憶する記憶手段である。ＰＯＩ−ＤＢ３６は、施設などの対象地点に関するＰＯＩ情報を記録する記憶手段である。
【００２７】
次に、センターサーバ１０について説明する。センターサーバ１０は、ユーザから取得した情報を管理する情報管理センターに設定されたサーバである。センターサーバ１０は、演算処理を行うＣＰＵ、記憶部となるＲＯＭ及びＲＡＭ、入力信号回路、出力信号回路、電源回路などにより構成されている。センターサーバ１０は、通信部１２、中央演算処理装置１３、記憶部１７、地図ＤＢ１８、ＰＯＩ−ＤＢ１９を備えている。
【００２８】
通信部１２は、ネットワーク１００との接続を可能とする通信制御手段として機能するものである。通信部１２は、車載機２０及び携帯通信端末３０から送信されたユーザの行動履歴情報などを受信する受信手段として機能する。また、通信部１２は、車載機２０及び携帯通信端末３０に、各種情報を送信する送信手段として機能する。
【００２９】
中央演算処理装置１３は、センターサーバ１０の装置全体の制御を司る制御手段である。中央演算処理装置１３は、各種演算処理を実行する。中央演算処理装置１３は、対象地点からユーザの自宅までの距離である対象距離を演算する本発明の演算手段として機能する。対象地点とは、施設、店舗など、ユーザが訪問した場所である。対象地点は、例えば、ユーザの行動履歴情報に基づいて判定することができる。ユーザが所定時間滞在した場合などは、対象地点と判定する。また、対象地点は、観光地となり得る場所を含む。ユーザの自宅の位置情報は、行動履歴情報に基づいて算出してもよく、事前に登録された情報に基づいて設定してもよい。
【００３０】
中央演算処理装置１３は、上記の対象距離に応じて、当該対象地点に関する情報収集の処理を変更する本発明の情報分析手段として機能する。中央演算処理装置１３では、対象距離が判定基準より長い場合に、「対象地点」を「観光対象地点」であると推定する。ユーザの自宅から一定距離以上離れている対象地点を観光対象地点と推定する。「観光対象地点」とは、不特定多数の人が訪れる可能性のある地点を含む。「観光対象地点」として、例えば、施設、店舗、景勝地、イベント会場などが挙げられる。上記の判定基準は、任意に設定することが可能である。「観光対象地点」を推定する際に、訪問者の人数、滞在時間の長さ、訪問した時期などを考慮してもよい。
【００３１】
また、中央演算処理装置１３は、「観光対象地点」と推定された対象地点を訪れたユーザを「観光客」と推定する。中央演算処理装置１３は、行動履歴情報に基づいて、観光客のその後の行動を分析してもよい。これにより、観光対象地点を訪問するユーザに対して、推奨情報を提供することが可能となる。例えば、次に行く観光地、近くの店舗などを推奨情報として提供してもよい。
【００３２】
また、中央演算処理装置１３は、例えば、観光対象地点の近隣に自宅があるユーザ（地元の人）を抽出してもよい。そして、中央演算処理装置１３は、観光対象地点の近くで地元の人が良く行く店舗（飲食店）などを抽出してもよい。これにより、観光客に対する推奨情報として、地元の人が良く行く店舗を提供することができる。
【００３３】
記憶部１３は、収集された情報、分析結果などを記憶する記憶手段である。地図ＤＢ１７は、地図情報を記憶する記憶手段である。地図ＤＢ７１に、ユーザの自宅の位置情報、対象地点の位置情報を記憶させてもよい。ＰＯＩ−ＤＢ１８は、施設などの対象地点に関するＰＯＩ情報を記録する記憶手段である。
【００３４】
次に、図２〜６を参照して、情報収集システムの動作を説明する。まず、図２及び図３を参照して、システム全体の動作の流れを説明し、図４を参照して車載機における手順、図５を参照してセンターサーバにおける手順、図６を参照して推奨情報提供処理の手順を各々説明する。
【００３５】
図２及び図３を参照して、システム全体の流れを説明する。図２は、本発明の実施形態に係る情報収集システムの動作手順を示すフローチャート、図３は、対象地点及び自宅の位置を示す地図情報の一例を示す図である。車載機２０及び携帯通信端末３０は、各ユーザの行動履歴情報を送信し、センターサーバ１０は、各ユーザの行動履歴情報を受信する。
【００３６】
センターサーバ１０は、ユーザの行動履歴情報に基づいてユーザの自宅を特定する。次に、センターサーバ１０は、集団（複数ユーザ）の行動履歴情報を重ね合わせ、対象施設とそこを訪れたユーザの自宅との距離を算出する。図３に示すように、例えば「豊田城址」を対象地点Ｐ１とした場合、センターサーバ１０は、対象地点Ｐ１を訪れたユーザＡ〜Ｃの自宅Ａ１，Ｂ１，Ｃ１から対象地点Ｐ１までの距離を各々算出する。
【００３７】
次に、センターサーバ１０は、算出された距離に基づいて、観光対象地点及び観光客を設定する。具体的には、所定距離以上離れたところから来たユーザが多い対象地点を観光対象地点と設定し、当該観光対象地点を訪れたユーザを観光客と設定する。
【００３８】
例えば、自宅Ａ１，Ｂ１，Ｃ１から対象地点「豊田城址」Ｐ１までは、所定距離以上離れているものとし、自宅Ｄ１から対象地点「豊田城址」Ｐ１までは、所定距離以上離れていないものする。また、自宅Ａ１，Ｂ１から対象地点「ラーメン屋」Ｑ１までは、所定距離以上離れていないものとする。このとき、対象地点「豊田城址」Ｐ１は、所定距離以上離れているユーザが多く訪れているので、観光対象地点と設定される。この対象地点「豊田城址」Ｐ１を訪れたユーザは、観光客と設定される。一方、対象地点「ラーメン屋」Ｑ１に、ユーザＡ，Ｂが訪れ、ユーザＣ，Ｄが訪れていないとする。この場合、対象地点「ラーメン屋」Ｑ１は、所定距離以上離れているユーザが多く訪れていないので、観光対象地点と設定されない。
【００３９】
情報収集システム１では、施設の分類結果（ラベリング結果）、及びユーザの分類結果（ラベリング結果）を基に情報推奨サービスを高度化することが可能である。
【００４０】
次に、図４を参照して、車載機側の処理について説明する。図４は、車載機における動作を示すフローチャートである。車載機２０は、ナビゲーション装置２１の電源がＯＮ状態である場合に、図４に示す処理を繰り返し実行する。まず、位置検出装置２４は、所定時間ごとに自車両の位置情報を取得し、ナビゲーション装置２１は、自車両の走行履歴情報を作成する。
【００４１】
ステップ１では、中央演算処理装置２３は、前回の走行履歴情報の送信から一定時間が、経過したか否かを判定する。前回の走行履歴の送信から一定時間が経過している場合には、ステップ２に進み、一定時間が経過していない場合には、一定時間の経過を待ってステップ２に進む。
【００４２】
続くステップ２では、中央演算処理装置２３は、車両の走行履歴情報を取得する。ここでは、中央演算処理装置２３は、ナビゲーション装置２１から出力された走行履歴情報を入力する。続くステップ３では、無線装置２２は、中央演算処理装置２３の指示に従い走行履歴情報１０をセンターサーバ１０へ送信する。中央演算処理装置２３は、ステップ３の処理後、再びステップ１に戻る。なお、携帯通信端末３０においても、車載機２０と同様の処理を行い、センターサーバ１０へユーザの行動履歴情報を送信する。
【００４３】
次に、図５を参照して、センター側の処理について説明する。図５は、情報収集センターのサーバにおける動作を示すフローチャートである。まず、センターサーバ１０の通信部１２は、車載機２０及び携帯通信端末３０から送信された行動履歴情報を受信する。受信した情報は、記憶部１７に保存される。
【００４４】
ステップ１１では、中央演算処理装置１３は、ユーザの自宅位置判定処理を行う。中央演算処理装置１３は、収集された情報を分析し、ユーザの自宅位置を特定する。ステップ１２では、中央演算処理装置２３は、行動履歴情報に基づいて、ユーザの自宅から対象地点までの距離（移動距離）を算出する。ステップ１３では、対象地点（施設）を訪れたユーザの「識別情報（ユーザＩＤ）」、「自宅から対象地点までの距離Ｌ」、「訪問回数をＰＯＩ−ＤＢ１９」を記録する。
【００４５】
ステップ１４では、中央演算処理装置１３は、対象地点について、訪問ユーザの自宅までの距離の分布を分析する。続く、ステップ１５では、中央演算処理装置１３は、観光地判定基準が成立するか否かを判定する。中央演算処理装置１３は、対象地点について、距離Ｄ≧閾値Ｋであるものが多いか否かを判定し、例えば、距離Ｄ≧閾値Ｋを満たす情報が全体の５０％以上である場合に、観光地判定基準が成立したと判定する。観光地判定基準が成立する場合には、ステップ１６に進み、観光地判定基準が成立しない場合には、処理を終了する。
【００４６】
ステップ１６では、中央演算処理装置１３は、観光地判定基準を満足する対象地点を「観光地（観光対象地点）」と判定する。ステップ１７では、中央演算処理装置１３は、判定結果を記憶部１７に記録し、ここでの処理を終了する。
【００４７】
次に、図６を参照して、システムによる情報提供サービス（ＰＵＳＨ型サービス）について説明する。図６は、本実施形態の推奨情報提供処理の動作手順を示すフローチャートである。まず、センターサーバ１０の中央演算処理装置１３は、「ユーザの現在の位置」と「観光地と判定された対象地点」との位置関係を分析する。なお、ここでいう「ユーザ」は、システムによる情報提供サービスを受けるユーザである。ステップ２１では、中央演算処理装置１３は、ユーザが観光地を訪れたか否かを判定する。ユーザが観光地を訪れている場合には、ステップ２２に進み、ユーザが観光地を訪れていない場合には、処理を終了する。
【００４８】
続くステップ２２では、中央演算処理装置１３は、他のユーザの行動履歴情報に基づいて、観光地を訪れた人が次に訪問した場所（他の施設、お店など）を分析する。次に、ステップ２３では、ステップ２２における分析結果に基づいて、お勧め施設（次の観光地、お店）を紹介する。具体的には、センターサーバ１０は、お勧め施設に関する情報を、ユーザの車載機２０及び／又は携帯通信端末３０に送信する。お勧め施設に関する情報を受信した車載機２０、携帯通信端末３０は、推奨情報として、お勧め施設の情報をユーザに報知する。例えば、画像表示装置に表示することで、ユーザへの情報提供を行う。
【００４９】
このような情報収集システム１では、対象地点とユーザの自宅との距離に応じて対象地点の情報収集の処理を変更することが可能であるため、対象地点と自宅との距離に応じて対象地点（ＰＯＩ情報）を分類・整理することが可能となる。その結果、目的に合致した施設（対象地点）を容易に推定することができる。
【００５０】
また、情報収集システム１では、ユーザの行動履歴情報を収集・分析して、多くのユーザが訪れる対象地点である観光地を推定することが可能である。情報収集システム１は、自宅が対象地点から所定距離以上離れているユーザが訪れる対象地点を抽出することが可能であり、この抽出された対象地点を観光地として推定することができる。これにより、観光地として予め設定されていない対象地点であっても、収集された行動履歴情報に基づいて抽出された対象地点を観光地として設定することができる。
【００５１】
また、情報収集システム１では、抽出された観光地に応じて、例えばこの観光地を中心とする所定の範囲内を、ユーザの行動履歴情報を収集する範囲と設定することができる。そして、観光地を訪れたユーザのその後の行動履歴情報を収集・分析することができる。これらにより、観光地を訪れるユーザに対して、他のユーザの行動履歴情報に基づいた推奨情報を提供することができる。その結果、観光客に対する情報推奨サービスを高度化することができる。
【００５２】
以上、本発明をその実施形態に基づき具体的に説明したが、本発明は、上記実施形態に限定されるものではない。例えば、行動履歴情報の受信側であるセンターサーバ１０で実行されている処理の一部を、送信側端末である車載機や携帯端末等で実行してもよい。送信側端末で、対象地点から自宅までの距離を演算してもよい。また、送信側端末において、自宅から所定距離以上離れた対象地点を観光地と判定してもよい。そして、判定結果に基づいて、センターサーバ１０へ送信する情報を選別してもよい。
【００５３】
また、情報収集システム１における通信手段は、無線装置を用いるものに限定されず、その他の通信手段を用いて通信するものでもよい。また、情報収集システム１では、行動履歴情報の収集において、例えば、自宅のパソコンを用いて入力された行動履歴情報を収集してもよい。
【符号の説明】
【００５４】
１…情報収集システム、１０…センターサーバ（演算手段、情報分析手段）、２０…車載機（移動体端末）、３０…携帯通信端末（移動体端末）。
【図１】
2011048582.tif 000003
【図２】
2011048582.tif 000004
【図３】
2011048582.tif 000005
【図４】
2011048582.tif 000006
【図５】
2011048582.tif 000007
【図６】
2011048582.tif 000008